(57)【要約】【課題】  格子の着脱が容易に行えると共に格子に負荷をかけることなく框に固定できる戸の提供。【解決手段】  框１，２，３，４と、框に取付ける格子５と、格子の固定具６とを備え、格子は、上端部に上係合部１１ａを有し、一方の側端部の外周側に縦係合部１１ｂを有しており、上框１は、下方に突出した支承片７に格子の上係合部と係合する格子吊下げ部８を有し、左右縦框３，４は、内周側が開放した格子挿入溝９を有し、一方の縦框３の格子挿入溝内に受部１０を有しており、固定具は、縦框３の内周側に左右方向に位置調整可能に取付けてあり、且つ格子の縦係合部１１ｂと係合する格子固定部１２を有し、格子５は、上係合部１１ａを上框の格子吊下げ部８に係合して上吊りし、左右側端部を縦框の格子挿入溝９に挿入してあり、固定具６の格子固定部１２を縦係合部１１ｂに係合し、格子固定部１２と受部１０とで縦係合部１１ｂを挟持してあることを特徴とする。【選択図】      図１
2006249884.tif 000002
【特許請求の範囲】
【請求項１】
框と、框に取付ける格子と、格子の固定具とを備え、格子は、上端部に上係合部を有し、一方の側端部の外周側に縦係合部を有しており、上框は、下方に突出した支承片に格子の上係合部と係合する格子吊下げ部を有し、左右縦框は、内周側が開放した格子挿入溝を有し、一方の縦框の格子挿入溝内に受部を有しており、固定具は、縦框の内周側に左右方向に位置調整可能に取付けてあり、且つ格子の縦係合部と係合する格子固定部を有するものであり、格子は、上係合部を上框の格子吊下げ部に係合して上吊りし、左右側端部を縦框の格子挿入溝に挿入してあり、固定具の格子固定部を縦係合部に係合し、格子固定部と受部とで縦係合部を挟持してあることを特徴とする戸。
【発明の詳細な説明】
【技術分野】
【０００１】
本発明は、框に格子を取付けた戸に関するものである。
【背景技術】
【０００２】
玄関用の引戸等においては、框枠内周の室内側にガラスを嵌着すると共に、室外側に格子を取付けたものがある。特許文献１には、そのような引戸において、格子を着脱自在にしたものが記載されている。この引戸は、框の内周側に形成した格子取付溝に、格子をけんどん式にて取付け、対向する二つの框のうちの一方の框に取付けた格子ロックにより、格子を他方の框に向けて押し付けることにより格子を固定している。
【特許文献１】特開昭６３−７０７９１号公報
【発明の開示】
【発明が解決しようとする課題】
【０００３】
上述のように、格子の片側を格子ロックで押圧して他方の框に押し付けていると、格子全体を圧縮する方向に負荷がかかり、それに伴って格子が面外方向に変形しやすくなる。本発明は以上に述べた実情に鑑み、格子の着脱が容易に行えると共に格子に負荷をかけることなく框に固定できる戸の提供を目的とする。
【課題を解決するための手段】
【０００４】
上記の課題を達成するために本発明の戸は、框と、框に取付ける格子と、格子の固定具とを備え、格子は、上端部に上係合部を有し、一方の側端部の外周側に縦係合部を有しており、上框は、下方に突出した支承片に格子の上係合部と係合する格子吊下げ部を有し、左右縦框は、内周側が開放した格子挿入溝を有し、一方の縦框の格子挿入溝内に受部を有しており、固定具は、縦框の内周側に左右方向に位置調整可能に取付けてあり、且つ格子の縦係合部と係合する格子固定部を有するものであり、格子は、上係合部を上框の格子吊下げ部に係合して上吊りし、左右側端部を縦框の格子挿入溝に挿入してあり、固定具の格子固定部を縦係合部に係合し、格子固定部と受部とで縦係合部を挟持してあることを特徴とする。
【発明の効果】
【０００５】
本発明の戸は、格子が、上係合部を上框の格子吊下げ部に係合して上吊りし、左右側端部を縦框の格子挿入溝に挿入した上で、固定具の格子固定部を縦係合部に係合し、格子固定部と受部とで縦係合部を挟持してあるので、格子に負荷をかけることなく框に固定でき、格子の面外方向の変形を防止できる。しかも、固定具を内周側に移動した状態で格子を若干持ち上げれば、格子を左右縦框の格子挿入溝に横けんどん式で容易に着脱できる。
【発明を実施するための最良の形態】
【０００６】
以下、本発明の実施の形態を図面に基づいて説明する。図３は、本発明の戸の実施形態に係る玄関用引戸の二枚の障子のうちの外障子を室外側から見た正面図であり、図１は図３のＡ−Ａ断面図であり、図２は図３のＢ−Ｂ断面図である。この障子は、上框１、下框２、戸先框３、戸尻框４を四周枠組みし、その内周の室内側にガラスパネル１３を取付け、ガラスパネル１３の室外側に格子５を取付けている。図中の符号１４は開閉用の引き手であり、１５ａと１５ｂは施錠装置である。
【０００７】
格子５は、アルミニウム合金の押出形材からなる四本の額縁構成部材１６ａ，１６ｂ，１６ｃ，１６ｄを四周枠組みして額縁１７が構成され、左右の縦額縁構成部材１６ｂ，１６ｄ間に、アルミニウム合金の押出形材よりなる横桟２８を上下方向に間隔をおいて多数架設して構成されている。各額縁構成部材１６ａ，１６ｂ，１６ｃ，１６ｄは、同一の断面形状となっており、室外側壁が外周側に突出しており、その先端に室内側に向けて鉤状に曲がった係合部１１ａ，１１ｂ，１１ｃ，１１ｄを有している。
【０００８】
上框１、下框２、戸先框３、戸尻框４は、アルミニウム合金の押出形材からなり、それぞれに内周側に開放したパネル取付溝部１８を室内側に有し、パネル取付溝部１８内にガラスパネル１３の周縁部をゴムパッキン１９を介して保持させてある。さらに上框１は、図２に示すように、外周側に開放したレール呑み込み溝２０を有し、室外側の内周壁には、下方に突出した支承片７を有し、支承片７の先端部には先端が上向きに曲がった鉤状の格子吊下げ部８を室外側に突出して形成してあり、格子吊下げ部８に格子５の上側の額縁構成部材１６ａの係合部（上係合部１１ａ）を係合して、格子５を上吊りしている。下框２は、内周側に開放した格子挿入溝２１を室外側に有し、その格子挿入溝２１に、格子５の下側の額縁構成部材１６ｃの下端部を挿入し保持している。また下框２内部には、下レール２２上を転動する戸車２９を備えている。戸先框３と戸尻框４は、図１に示すように、内周側に開放した格子挿入溝９を室外側に有し、各格子挿入溝９に、格子５の左右の額縁構成部材１６ｂ，１６ｄの外周側端部を挿入し保持している。
【０００９】
さらに、戸先框３の格子挿入溝９内の底部には、図３に示すように、上部と下部の二箇所に受部１０を設けてある。受部１０は、断面略Ｌ字形の棒状の樹脂製部材であり、図４に示すように、格子挿入溝９内に内周側から挿入してビス２３で溝底面に固定してある。受部１０の外周側面には、ボルトホルダー２４が接着により取付けられ、ボルトホルダー２４にはボルト２５を空回りする状態で保持しており、ボルト２５のネジ軸が受部１０を貫通して内周側に突出している。さらに、戸先框３の格子挿入溝９内の格子５戸先側端部と受け部１０との間のスペースには、固定具６が配設してある。固定具６は、上下方向に長い矩形中空断面の棒状の部材であり、室外側面の内周側縁部に、格子５の戸先側端部の係合部（縦係合部１１ｂ）と係合する格子固定部１２を外周側に向けて斜めに突出して形成してあり、外周側面には前記ボルト２５の上下ピッチと同じピッチで雌ネジ孔２６を形成してある。固定具６は、室内側面を格子挿入溝９の内面に当接し、雌ネジ孔２６に前記ボルト２５のネジ部を螺合して取付けてあり、ボルト２５を工具で回転させることにより固定具６は左右方向にスライドする。固定具６の格子固定部１２には、格子５の縦係合部１１ｂが係合し、ボルト２５を回して固定具６を外周側に引き寄せ、固定具の格子固定部１２と受部１０とで格子の縦係合部１１ｂを挟持して、格子５が左右及び上下方向に動かないように固定している。
【００１０】
上述のように、格子５は、上端部の上係合部１１ａを上框支承片７の格子吊下げ部８に係合して上吊りし、左右の側端部と下端部を、戸先框３と戸尻框４の格子挿入溝９と下框２の格子挿入溝２１にそれぞれ挿入してあるので、面外方向に移動することがなく、さらに戸先側端部の縦係合部１１ｂを、固定具６の格子固定部１２と係合し且つ格子固定部１２と受部１０とで挟持していることで、格子５の面内方向の移動が規制されると共に、格子５に左右方向の負荷がかからないので、格子５に面外方向の変形が生じない。また、固定具６が露出しないので、外観が良好である。
【００１１】
格子５を框に取付ける際は、図５（ａ）に示すように、ボルト２５を工具２７で左に回して固定具６を内周側に移動させておき、図６に示すように格子を若干上に持ち上げた状態で、図５（ａ）中の矢印ａに示すように、格子５の戸尻側端部を戸尻框４の格子挿入溝９内に差し込んでから、矢印ｂに示すように、格子５を回転して框と平行にする（図５（ｂ）の状態）。次に、図６の矢印ｃに示すように格子５を下に下ろし、図２に示すように、格子の上係合部１１ａを上框の格子吊下げ部８に係合すると共に下端部を下框２の格子挿入溝２１内に挿入する。次に、ボルト２５を工具２７で右に回して固定具６を外周側に引き寄せると、図５（ｃ）に示すように、固定具６の格子固定部１２と格子の縦係合部１１ｂとが係合する。さらに固定具６を外周側に引き寄せると、図中の矢印ｄに示すように、それにつれて格子５も戸先側に移動し、縦係合部１１ｂが固定具の格子固定部１２と受部１０に挟持され、格子５が固定される（図１の状態）。格子５を框から取り外すには、以上の手順を逆に行えばよい。このようにして本障子は、格子５の着脱を容易に行える。
【００１２】
本発明は、以上に述べた実施形態に限定されない。格子の桟の設け方は自由であり、縦桟だけを設けてもよいし、縦横の桟をクロスして設けてもよい。実施形態のものは、格子構成部材を同一断面形状としたため、格子の外周部全周に係合部を有しているが、下端部と戸尻側端部には係合部がなくてもよい。固定具は、実施形態のように上下の受部に跨って設ける長さの長いものに限らず、受部ごとに個々に設ける長さの短いものであってもよい。本発明の戸は、引戸に限らず、ドアにも適用できる。
【図面の簡単な説明】
【００１３】
【図１】図３のＡ−Ａ断面図である。
【図２】図３のＢ−Ｂ断面図である。
【図３】本発明の一実施形態に係る玄関用引戸外障子の室外側正面図である。
【図４】固定具周辺の分解斜視図である。
【図５（ａ）（ｂ）（ｃ）】格子を框に取付ける際の手順を順に示す横断面図である。
【図６】格子を框に取付ける途中の状態を示す縦断面図である。
【符号の説明】
【００１４】
１  上框
２  下框
３  戸先框（縦框）
４  戸尻框（縦框）
５  格子
６  固定具
７  支承片
８  格子吊下げ部
９  縦框の格子挿入溝
１０  受部
１１ａ  上係合部
１１ｂ  縦係合部
１２  格子固定部
【図１】
2006249884.tif 000003
【図２】
2006249884.tif 000004
【図３】
2006249884.tif 000005
【図４】
2006249884.tif 000006
【図５（ａ）（ｂ）（ｃ）】
2006249884.tif 000007
【図６】
2006249884.tif 000008